(57)【要約】【課題】段ボールから折り上げるタイプの緩衝体において、所望の形態に連結、合体させるとことにより、積圧強度の他、前後左右方向からの衝撃に対して、強度を高めることができる連結組立式の緩衝体を提供する。【解決手段】一枚の段ボール１００から、断面が略Ｌ字状に折り上げられた主緩衝部材１０１と、一枚の段ボール２００から、断面が略コの字状に折り上げられた副緩衝部材２０１との組み合わせからなり、該副緩衝部材２０１の両端に設けられた係止片２４、２２、２６を、前記主緩衝部材１０１に設けた係止穴Ｌ１、Ｌ２、Ｌ３にそれぞれ挿嵌させることにより、その一面に梱包物品を挿入するための段差状棚部Ｚを備えた緩衝体３０１が組上がるようにする連結組立式の緩衝体であって、外装箱４０１の中に前記緩衝体を一対組込むとともに、該緩衝体の両端に設ける係止穴２３に、外装箱４０１の係止面を折曲して挿嵌させるよう構成した。【選択図】      図９
2004299756.tif 000002
【特許請求の範囲】
【請求項１】
一枚の段ボール１００から、断面が略Ｌ字状に折り上げられた主緩衝部材１０１と、一枚の段ボール２００から、断面が略コの字状に折り上げられた副緩衝部材２０１との組み合わせからなり、該副緩衝部材２０１の両端に設けられた係止片２４、２２、２６を、前記主緩衝部材１０１に設けられた係止穴Ｌ１、Ｌ２、Ｌ３にそれぞれ挿嵌させることにより、その一面に梱包物品を挿入するための段差状棚部Ｚを備える緩衝体３０１が組上がるようにすることを特徴とする連結組立式の緩衝体。
【請求項２】
一枚の段ボール１００から、断面が略Ｌ字状に折り上げられた主緩衝部材１０１と、一枚の段ボール２００から、断面が略コの字状に折り上げられた副緩衝部材２０１との組み合わせからなり、該副緩衝部材２０１の両端に設けられた係止片２４、２２、２６を、前記主緩衝部材１０１に設けた係止穴Ｌ１、Ｌ２、Ｌ３にそれぞれ挿嵌させることにより、その一面に梱包物品を挿入するための段差状棚部Ｚを備えた緩衝体３０１が組上がるようにする連結組立式の緩衝体であって、外装箱４０１の中に前記緩衝体を一対組込むとともに、該緩衝体の両端に設ける係止穴２３に、外装箱４０１の係止面を折曲して挿嵌させることを特徴とする連結組立式の緩衝体。
【請求項３】
前記緩衝体３０１には、両端に係止穴２３を設けることを特徴とする請求項１記載の連結組立式の緩衝体。
【請求項４】
前記緩衝体３０１には、支承台１８の側面１３に突起Ｖ１を設けることを特徴とする請求項１または２記載の連結組立式の緩衝体。
【請求項５】
前記緩衝体３０１には、支承台１８の側面１３に切れ目８１を設けることを特徴とする請求項１または２記載の連結組立式の緩衝体。
【請求項６】
前記緩衝体３０１には、頂面１５に折畳みＷを設けることを特徴とする請求項１または２記載の連結組立式の緩衝体。
【請求項７】
前記緩衝体３０１には、両端に舌片Ｙを設けることを特徴とする請求項１または２記載の連結組立式の緩衝体。
【請求項８】
前記緩衝体３０１には、支承台１８の両端に突起Ｖ２を設けることを特徴とする請求項１または２記載の連結組立式の緩衝体。
【請求項９】
前記外装箱４０１には、係止面７４に突起Ｖ３を設けることを特徴とする請求項２記載の連結組立式の緩衝体。
【請求項１０】
前記外装箱４０１には、係止面７４に切れ目８２を設けることを特徴とする請求項２記載の連結組立式の緩衝体。
【発明の詳細な説明】
【０００１】
【発明の属する技術分野】
この発明は、家電製品等梱包用の緩衝材に関する。例えば、ＤＶＤプレイヤーやＤＶＤ−ＲＷやファクシミリやオーディオ・ビデオ等の様に衝撃に敏感な製品を、段ボール箱に詰める際に使用する緩衝体に関する。特に、緩衝体の積圧強度を向上させることにより、倉庫に段ボール箱を高く段積みした状態で、長期間安全に製品を保管するのに適した緩衝体を提供する。
【０００２】
【従来の技術】
家電製品の梱包には、発砲スチロール製パッキンが、その優れた緩衝特性と種々の形状が自由度に得られるため、従来から多用されてきた。ところが、近年、塩化ビニール等の樹脂類と一緒に廃棄物として処理する際に、ダイオキシン発生等の問題が生じ、その使用が困難になってきた。
【０００３】
一方、段ボール箱の、倉庫での長期保管が問題になる。家電製品等を詰めた段ボール箱は、多少にかかわらず倉庫に保管されることが普通であり、場合によっては梅雨時期をはさんで半年も一年も貯蔵されることがある。箱の積圧強度が不足すると、その間に外気の温度変化や段積みした箱の重量によって、胴ぶくれや箱の座屈等のトラブルが起こり易い。このような場合、積圧強度を向上させるために、一般的には、外装箱の強度改善の手段がとられる。段ボールの材質をグレードアップしたり、厚さあるいは重ね枚数をダブルにする等の対策があるが、組立ての作業性が悪化したり、コストアップになる。
【０００４】
そこで、早くからこのような動向を察知して、発砲スチロール製に劣らない段ボール製の緩衝体の開発を進めてきた。それも、外装箱の積圧強度の改善ではなく、製品を保護するため、中の緩衝体の改善に的がしぼられてきた。
【０００５】
この様な問題に対処するために、段ボール製の緩衝体の望ましい構造について、検討を重ねた結果、折上がり構造が複雑なものについては、唯一枚の段ボールから一挙に所望の形態の緩衝体を折り上げる方法にこだわるよりも、むしろ、複数の部分緩衝体を、嵌合手段によって所望の形態に連結、合体させる方法を採用した方が、好ましいことが解った。
【０００６】
【発明が解決しようとする課題】
本発明は、上記事情に鑑みて、断面が略Ｌ字状のものであって、その一面に家電製品等梱包される物品の端部を挿嵌させる段差状棚部を備えた緩衝体を、段ボールから折り上げるタイプのものにおいて、所望の形態に連結、合体させるとことにより、積圧強度の他、前後左右方向からの衝撃に対する強度を高めた連結組立て式の緩衝体を提供することを目的とする。詳しくは、中の緩衝体に積圧強度の他前後左右からの衝撃に対する強度を持たせるために、段ボールの材質、厚さあるいは重ね枚数を組み合わせ、選択することにより、結果的には、外装箱の材質をグレードダウンしても、強度を確保できるような緩衝体を提供することを目的とする。
【０００７】
【課題を解決するための手段】
上記目的を達成するために、請求項１の発明は、一枚の段ボール１００から、断面が略Ｌ字状に折り上げられた主緩衝部材１０１と、一枚の段ボール２００から、断面が略コの字状に折り上げられた副緩衝部材２０１との組み合わせからなり、該副緩衝部材２０１の両端に設けられた係止片を、前記主緩衝部材１０１に設けられた係止穴にそれぞれ挿嵌させることにより、その一面に梱包物品を挿入するための段差状棚部Ｚを備えた緩衝体３０１が組上がるようにする連結組立式の緩衝体である。
【０００８】
また、請求項２の発明は、一枚の段ボール１００から、断面が略Ｌ字状に折り上げられた主緩衝部材１０１と、一枚の段ボール２００から、断面が略コの字状に折り上げられた副緩衝部材２０１との組み合わせからなり、該副緩衝部材２０１の両端に設けられた係止片を、前記主緩衝部材１０１に設けられた係止穴にそれぞれ挿嵌させることにより、その一面に梱包物品を挿入するための段差状棚部Ｚを備えた緩衝体３０１が組上がるようにした連結組立式の緩衝体であって、外装箱４０１の中に前記緩衝体を一対組込むとともに、該緩衝体の係止穴２３に、外装箱４０１の係止面を折曲して挿嵌させて組み上がるようにすることを特徴とする。
【０００９】
また、請求項３の発明は、請求項１の発明の上記特徴に加えて、前記緩衝体３０１には、両端に係止穴２３を設ける構成とする。
【００１０】
また、請求項４の発明は、請求項１または２の発明の上記特徴に加えて、前記緩衝体３０１には、支承台１８の側面１３に突起Ｖ１を設ける構成とする。
【００１１】
また、請求項５の発明は、請求項１または２の発明の上記特徴に加えて、前記緩衝体３０１には、支承台１８の側面１３に切れ目８１を設ける構成とする。
【００１２】
また、請求項６の発明は、請求項１または２の発明の上記特徴に加えて、前記緩衝体３０１には、頂面１５に折畳みＷを設ける構成とする。
【００１３】
また、請求項７の発明は、請求項１または２の発明の上記特徴に加えて、前記緩衝体３０１には、両端に舌片Ｙを設ける構成とする。
【００１４】
また、請求項８の発明は、請求項１または２の発明の上記特徴に加えて、前記緩衝体３０１には、支承台１８の両端に突起Ｖ２を設ける構成とする。
【００１５】
また、請求項９の発明は、請求項２の発明の上記特徴に加えて、前記外装箱４０１には、係止面７４に突起Ｖ３を設ける構成とする。
【００１６】
また、請求項１０の発明は、請求項２の発明の上記特徴に加えて、前記外装箱４０１には、係止面７４に切れ目８２を設ける構成とする。
【発明の実施の形態】
本発明の実施の形態を、添付図面に例示した本発明の実施例に基ずいて以下に具体的に説明する。
【００１７】
先ず、本発明の第一実施例について、図１〜図１０を参照しながら説明する。図１は、左右１組の一方の緩衝体３０１Ａの斜視図である。図２は、左右１組の一方の主緩衝部材１０１Ａの斜視図である。図３は、左右１組の一方の副緩衝部材２０１Ａの斜視図である。図４は、左右１組の一方の主緩衝部材の展開図で、段ボール１００Ａを示す。図５は、左右１組一方の副緩衝部材の展開図で、段ボール２００Ａを示す。図６は、左右１組の一方の主緩衝部材の展開図で、段ボール１００Ａ‘を示す。図７は、左右１組の一方の副緩衝部材の展開図で、段ボール２００Ａ‘を示す。図８は、外装箱の展開図を示す。図９は、左右１組の緩衝体を外装箱４０１Ａの中に組み込んだ状態を示す斜視図である。図１０は、左右１組の緩衝体を外装箱４０１Ａの中に組込み、緩衝体に外装箱の係止面を挿嵌した状態を示す斜視図である。
【００１８】
図１に示した形態に組立てられるこの実施例の緩衝体３０１Ａは、図２に示した主緩衝部材１０１Ａの挿嵌穴に、図３に示した副緩衝部材２０１Ａの係止片を上から挿嵌した連結、合体品である。ここで、主緩衝部材１０１Ａは１枚の段ボール１００Ａから、図２に示した様に、横断面が略Ｌ字状に折り上げられる。また、副緩衝部材２０１Ａは１枚の段ボール２００Ａから、図３に示した様に、略コの字状に折り上げられる。図２の主緩衝部材１０１Ａは、それぞれ平行な二条の係止穴Ｌ１、係止穴Ｌ２、係止穴Ｌ３を備え、他に、側面１３Ａ、１４Ａ、頂面１５Ａ等からなる。また、図３の副緩衝部材２０１Ａは、それぞれ両側に側面２１Ａ、係止片２２Ａ、係止穴２３Ａ、係止片２４Ａ、係止穴２５Ａ、係止片２６Ａ、係止穴２７Ａ、側面３１Ａ、３２Ａ、３３Ａを備え、他に、コード穴６１Ａ、刳抜穴６２Ａ等からなる。
【００１９】
次に、２枚の段ボール１００Ａ、２００Ａから、緩衝体３０１Ａを組立てる手順について、その１例を説明する。先ず、図４に示した段ボール１００Ａを、主緩衝体１０１Ａの形態に折り上げる。それには、図４に示した様に、予め折り癖が付けられた、平行折り目Ｓ１〜Ｓ８を、それぞれ同方向に直角に折曲して、図２に示すＬ字状の主緩衝部材１０１Ａを形成させる。次に、図５に示した段ボール２００Ａを、副緩衝体２０１Ａの形態に折り上げる。それには、図５に示した様に、予め折り癖が付けられた、平行折り目Ｔ１〜Ｔ６を、それぞれ同方向に直角に折曲して、図３に示すコの字状の副緩衝部材１０１Ａの形態に組み上げる。最後に、主緩衝部材１０１Ａの二条の係止穴Ｌ１、係止穴Ｌ２、係止穴Ｌ１３に、副緩衝部材２０１Ａの係止片２４Ａ、係止片２２Ａ、係止片２６Ａを主緩衝部材の上方から挿嵌させることにより、図１に示した様な、断面が略Ｌ字状の緩衝体３０１Ａが組上がる。緩衝体３０１Ａ‘についても同様である。
【００２０】
主緩衝部材へ副緩衝部材の結合方法は、主緩衝部材１０１Ａの二条の係止穴に、それぞれ副緩衝部材２０１Ａの係止片を主緩衝部材の上方から挿嵌させる。ここで、側面３１Ａ、３２Ａおよび３３Ａは、主緩衝部材１０１Ａを外側からバックアップする。また、同時に、係止穴２５Ａと係止角１６Ａとが係合し、係止穴２７Ａと係止角１７Ａとが係合して、断面が略Ｌ字状の緩衝体３０１Ａが連結、合体される。
【００２１】
図８には、外装箱の展開図で、段ボール４００Ａを示す。上段から、蓋面４１Ａ、側面４２Ａ、底面４３Ａで外装箱の六面を構成する。また、蓋面は、係止面７１Ａ、係止面７２Ａ、係止面７３Ａ等からなる。ここで、係止面７１Ａ、係止面７２Ａ、係止面７３Ａは予め付けられた平行折り目Ｕ１、Ｕ２に沿って折り込まれる。
【００２２】
図９に、左右１対の緩衝体３０１Ａおよび３０１Ａ‘を外装箱４０１Ａの中に組込んだ状態を示す。左右両側に段差状棚部Ｚが形成され、梱包製品の端部を挿入し、梱包する。ここで、製品を挿入する方向を天地、棚部Ｚを形成する両側を左右、棚部Ｚに平行な方向を前後と呼ぶ。以下他の実施例についても同様である。図１０には、左右１組の緩衝体３０１Ａおよび３０１Ａ‘を外装箱４０１Ａに組込み、蓋を閉じる途中であり、緩衝体に外装箱に設けた係止面を挿嵌した状態を示す。左右の係止面を緩衝体３０１Ａおよび緩衝体３０１Ａ‘に挿嵌する。詳しくは、図８に示す係止面７１Ａおよび係止面７２Ａを折り曲げて、緩衝体３０１Ａおよび緩衝体３０１Ａ‘の係止穴２３Ａに挿嵌させることにより、上蓋の二面が閉じられる。
【００２３】
この様にして組立てられた緩衝体は、以下の作用効果を有する。上記したように、外装箱４０１Ａの中には、左右両側の緩衝体３０１Ａと３０１Ａ‘に段差状棚部Ｚが形成され、この棚部に梱包物品の端部を載せ、挿入させる。緩衝体３０１Ａの支承台１８Ａは梱包物品の端部を載せる部位である。この棚は段ボール１００Ａから角筒状に折り上げられたものの上面を形成しているので、梱包物品の重量を支承するに足る強度を有する。一方、緩衝体３０１Ａの段差状棚部Ｚは、緩衝体３０１Ａの前後の側面２１Ａで挟まれた空間を形成している。梱包物品はこの空間に挿入されるので、側面２１Ａは前後方向で梱包物品を衝撃から保護する対策を講じたものである。また、左右方向では、緩衝体３０１Ａの側面１４Ａが梱包物品を守る。なお、側面１４Ａは段ボール図４から角筒状に折り上げられた側面を形成しているので、左右方向の緩衝性を有する。更に、外装箱を段積みする際の天地方向の緩衝作用について説明する。図９に示す様に、予め折り目を付けられた、係止面７１Ａおよび７２Ａが、緩衝体３０１Ａの係止穴２３Ａに挿嵌される。係止面７２Ａは、図１０に示す様に、係止穴２３Ａの底辺２８Ａに当接し、また、頂面１５Ａで係止面７３Ａを支える構成になっている。倉庫に段ボール箱を高く段積みした状態では、頂面１５Ａの高さと副緩衝体２０１Ａの側面３１Ａ〜３３Ａ等の高さとが同じなので、これらが重なって、段積みの荷重を支承する。以上の構成によって、段積みする際、上からの重量を、外装箱の蓋面に設けた係止面で支承することができる。また、緩衝体３０１Ａおよび緩衝体３０１Ａ’を組み上げる際、図４および図５に示す、係止穴２７Ａと係止片１６Ａとが係合し、係止穴２５Ａと係止片１７Ａとが係合しているので、緩衝体３０１Ａおよび緩衝体３０１Ａ’は形崩れすることが無い。
【００２４】
なお、梱包物品の重量が嵩んだり、外装箱の段済み数が増える際には、緩衝体３０１Ａの天地方向の積圧強度を上げる必要がある。その場合には副緩衝部材２０１Ａの段ボール２００Ａには、厚手のＡフルートと薄手のＢフルート（段ボール規格）を二枚重ねしたダブルフルートの段ボールを使用し、これを折り上げ、副緩衝部材２０１Ａを形成する。ここで、段ボールの波目の縦方向を副緩衝部材の天地方向に合わせる。以上は、一対の他方の副緩衝部材２０１Ａ‘についても同様である。これらの組み合わせによって、緩衝体３０１Ａの天地方向の積圧強度を向上させることができる。倉庫に段ボール箱を高く段積みした状態で使用するのに好適である。つまり、段ボールの材質、厚さあるいは重ね枚数を組み合わせ、選択することにより、中の緩衝体に積圧強度を持たせることができ、結果的には、外装箱の材質をグレードダウンしても、外装箱全体の積圧強度を確保できる。コストダウウンにつながる。なお、副緩衝部材の段ボールの材質、厚さあるいは重ね枚数を組み合わせ、選択については、他の実施例についても同様である。
【００２５】
次に、本発明の第二実施例を、図１１〜図２０を参照しながら説明する。図１１は、左右１組の一方の緩衝体３０１Ｂの斜視図である。図１２は、左右１組の一方の主緩衝部材１０１Ｂの斜視図である。図１３は、左右１組の一方の副緩衝部材２０１Ｂの斜視図である。図１４は、左右１組の一方の主緩衝部材の展開図で、段ボール１００Ｂを示す。図１５は、左右１組一方の副緩衝部材の展開図で、段ボール２００Ｂを示す。図１６は、左右１組の一方の主緩衝部材の展開図で、段ボール１００Ｂ‘を示す。図１７は、左右１組の一方の副緩衝部材の展開図で、段ボール２００Ｂ‘を示す。図１８は、外装箱の展開図を示す。図１９は、左右１組の緩衝体を外装箱４０１Ｂの中に組込んだ状態を示す斜視図である。図２０は、左右１組の緩衝体を外装箱４０１Ｂの中に組込み、緩衝体に外装箱に設けた係止面を挿嵌した状態を示す斜視図である。
【００２６】
第二実施例の各図面に符号を付して示した各部分のうち、第一実施例の各図面と共通する符号を付した部分は、互いに共通した機能を持つ部分である。従って、第二〜第四実施例については、段ボールから緩衝体への折り上げ方、挿嵌・合体等の方法は、第一実施例と同様である。
【００２７】
第一実施例との主たる相違点は、図１１に示すように、緩衝体３０１Ｂの支承台の側面の一部を山形状に折り上げたこと、および図１２に示すように、支承台の前後の端部を同じく山形状に折り上げたところにある。また、他の相違点として、図２０に示すように、外装箱４０１Ｂの蓋面の一部を山形状に折り上げ、緩衝体３０１Ｂおよび緩衝体３０１Ｂ‘と挿嵌させたことである。いずれも、梱包製品を衝撃から保護する対策を講じたものである。
【００２８】
各部分の符号を説明する。図１１に示した形態に組立てられるこの実施例の緩衝体３０１Ｂは、図１２に示した主緩衝部材１０１Ｂの挿嵌穴に、図１３に示した副緩衝部材２０１Ｂの挿嵌片を上から挿嵌した連結、合体品である。ここで、主緩衝部材１０１Ｂは１枚の段ボール１００Ｂから、図１２に示した様に、横断面が略Ｌ字状に折り上げられる。また、副緩衝部材２０１Ｂは１枚の段ボール２００Ｂから、図１３に示した様に、略コの字状に折り上げられる。図１２の主緩衝部材１０１Ｂは、それぞれ二条の係止穴Ｌ１、係止穴Ｌ２、係止穴Ｌ３を備え、他に、側面１３Ｂ、１４Ｂ、頂面１５Ｂ等からなる。また、図１３の副緩衝部材２０１Ｂは、それぞれ両側に側面２１Ｂ、係止片２２Ｂ、係止穴２３Ｂ、係止片２４Ｂ、係止穴２５Ｂ、係止片２６Ｂ、係止穴２７Ｂ、側面３１Ｂ、３２Ｂ、３３Ｂを備え、他に、刳抜穴６１Ｂ等からなる。図１４の主緩衝部材の段ボール２００Ｂには、山形状の折り上げ部材が追加されていることが、第一実施例とは相違する。Ｐ１〜Ｐ６は山形折り目、９１Ｂ〜９４Ｂは山形片である。
【００２９】
次に、段ボール１００Ｂから、主緩衝部材１０１Ｂを組立てる手順については、第一実施例と同様である。ただし、平行折り目Ｓ５〜Ｓ７を折り上げる時、３箇所の山形突起を形成する。先ず、側面１３Ｂの中央に予め付けられた折り目Ｐ２、Ｐ２およびＰ３を折ることにより、折り目Ｐ２を頂角とし、山形面９１Ｂと９２Ｂを有する突起Ｖ１が形成される。次に支承台１８Ｂの両端部に予め付けられた折り目Ｐ４、Ｐ５およびＰ６を折ることにより、折り目Ｐ５を頂角とする山形面９３Ｂと９４Ｂを有する突起Ｖ２が両端部に形成される。
【００３０】
主緩衝部材へ副緩衝部材の結合方法は、主緩衝部材１０１Ｂの二条の係止穴に、それぞれ副緩衝部材２０１Ｂの係止片を主緩衝部材の上方から挿嵌させる。以下第一実施例と同じ要領で、断面が略Ｌ字状の緩衝体３０１Ｂが連結、合体される。緩衝体３０１Ｂ‘についても同様である。
【００３１】
図１８には、外装箱の展開図で、上段から、蓋面４１Ｂ、側面４２Ｂ、底面４３Ｂで外装箱の六面を構成する。また、蓋面は、係止面７１Ｂ、係止面７２Ｂ、係止面７３Ｂを備え、他に係止面７４Ｂ等からなる。上記係止片には、山形状の折り上げ部材が追加設けられていることが第一実施例とは相違する。Ｕ１、Ｕ２およびＵ３は平行折り目、９５Ｂ、９６Ｂは山形片である。
【００３２】
係止面７４Ｂの中央に予め付けられた折り目Ｒ１、Ｒ２およびＲ３を折ることにより、折り目Ｒ２を頂角とする山形片９５Ｂと９６Ｂを有する突起Ｖ３が形成される。
【００３３】
図１９には、左右１組の緩衝体３０１Ｂおよび３０１Ｂ‘を外装箱４０１Ｂの中に組込んだ状態を示す。左右両側に段差状棚部Ｚが形成され、梱包物品の端部を挿入し、梱包する。図２０には、左右１組の緩衝体３０１Ｂおよび３０１Ｂ‘を外装箱４０１Ｂに組込み、蓋を閉じる途中であり、緩衝体に外装箱に設けた係止面を挿嵌した状態を示す。左右の係止面を緩衝体３０１Ｂおよび緩衝体３０１Ｂ’に挿嵌する。詳しくは、図１８に示す、予め折り目を付けられた平行折り目Ｕ１、Ｕ２およびＵ３に沿って、係止面７１Ｂ、７２Ｂ、７３Ｂおよび係止面７４Ｂを折り曲げる。ついで、両側の係止面７４Ｂを緩衝体３０１Ｂおよび緩衝体３０１Ｂ’の係止穴２３Ｂに挿嵌させることにより、上蓋の二面が閉じられる。
【００３４】
この様にして組立てられた緩衝体は、Ｖ字状の突起を除き、第一実施例と共通した機能を持つので、同様な作用効果をもつ。ここでは、第一実施例と相違する突起ついての作用効果を説明する。外装箱４０１Ｂの中には、左右両側の緩衝体３０１Ｂと３０１Ｂ‘に段差状棚部Ｚが形成され、この棚部に梱包物品の端部を載せ、挿入させる。緩衝体３０１Ｂの支承台１８Ｂは梱包物品の端部を載せる部位である。この棚は段ボール１００Ｂから角筒状に折り上げられたものの上面を形成している。また、図１９に示すように、支承台１８Ｂの側面１３Ｂの中央には突起Ｖ１を有する。支承台１８Ｂには、梱包物品の自重を含む、段積み上方からの重量あるいは衝撃を支承する。その際、突起Ｖ１はスプリング効果の役目をするので、天地方向からの衝撃を和らげる効果がある。一方、緩衝体３０１Ｂの段差状棚部Ｚは、緩衝体３０１Ｂの前後の側面２１Ｂで挟まれた空間を形成している。梱包物品はこの空間に挿入されるので、側面２１Ｂは前後方向で梱包物品を衝撃から保護する対策を講じたものである。前後方向の両端部には、突起Ｖ２を備えており、側面２１Ｂに加えて、突起Ｖ２とで、前後方向からの衝撃を和らげる効果がある。更に、外装箱を段積みする際の天地方向の緩衝作用について説明する。図１９に示すように、予め折り目を付けられた、係止面７１Ｂおよび７２Ｂが、緩衝体３０１Ｂの係止穴２３Ｂに挿嵌される。図１９および図２０に示すように、係止面７１Ｂ、７２Ｂ、７４Ｂは、７２Ｂを底辺とするコの字状を形成し、係止穴２３Ｂの底辺２８Ｂに当接する。係止面７４Ｂの中央部には突起Ｖ３を有し、突起Ｖ３はスプリング効果の役目をするので、天地方向からの衝撃を和らげる効果がある。また、頂面１５Ｂで係止面７３Ｂを支える構成になっている。このように、段積みする際の上からの重量を、外装箱の蓋面に設けた係止面で支承することができる。
【００３５】
また、第一実施例との相違点は、頂面１５Ｂの高さを低くしたところにある。倉庫に段ボール箱を高く段積みした状態では、頂面１５Ｂの高さおよび副緩衝体２０１Ｂの側面３１Ｂ〜３３ＤＢが重なって、段積みの荷重を支承する。段積みの荷重の大きさによって、頂面１５Ｂの高さを自由に選択できる。即ち、高さを低くすることにより、左右方向からの衝撃を和らげる効果がある。左右方向の補強手段の一つとして、本第二実施例のように、頂面１５Ｂの高さを低くする等の対応をする。
【００３６】
以上、第二実施例のものは、第一実施例の効果に加えて、Ｖ字状の突起の効果を有する。即ち、突起はスプリング効果を有するので、天地および前後方向からの衝撃を和らげて、梱包製品を衝撃から保護する。第一実施例のものより、天地方向の衝撃を和らげる効果が大きく、また、前後方向の衝撃に対する強度が大きい。さらに、頂面１５Ｂの高さを低くしたので、左右方向からの衝撃を和らげる効果がある。
【００３７】
次に、本発明の第三実施例を、図２１〜図３２を参照しながら説明する。図２１は、左右１組の一方の緩衝体３０１Ｃの斜視図である。図２２は、左右１組の一方の主緩衝部材１０１Ｃの斜視図である。図２３は、左右１組の一方の副緩衝部材２０１Ｃの斜視図である。図２４は、左右１組の一方の主緩衝部材の展開図で、段ボール１００Ｃを示す。図２５は、左右１組一方の副緩衝部材の展開図で、段ボール２００Ｃを示す。図２６は、左右１組の一方の主緩衝部材の展開図で、段ボール１００Ｃ‘を示す。図２７は、左右１組の一方の副緩衝部材の展開図で、段ボール２００Ｃ‘を示す。図２８は、外装箱の展開図を示す。図２９は、左右１組の緩衝体を外装箱４０１Ｃの中に組込んだ状態を示す。図３０は、左右１組の緩衝体を外装箱４０１Ｃの中に組込み、緩衝体に外装箱に設けた係止面を挿嵌した状態を示す。図３１は、主緩衝部材の頂面に形成した折畳みＷを折り畳む途中で、内側から見た斜視図である。また、図３２は、主緩衝部材の頂面に形成した折畳みＷを折り畳み完了の斜視図である。
【００３８】
第三実施例の各図面に符号を付して示した各部分のうち、第一実施例の各図面と共通する符号を付した部分は、互いに共通した機能を持つ部分である。
【００３９】
第一実施例との主たる相違点は、図２１および図２２に示すように、主緩衝部材１０１Ｃの頂面の一部に折畳みを設けたことおよび、図２３および図２５に示すように、副緩衝部材２０１Ｃの両端部に舌片を折り上げたところにある。また、他の相違点として、図３０に示すように、外装箱４０１Ｃの蓋面の一部を角筒状に折り上げ、緩衝体３０１Ｃに挿嵌させたことである。また、図２２に示すように、側面１３Ｃに二箇所の切れ目を設けたところにある。同様に、図３０に示すように、係止面７４Ｃに二箇所の切れ目を設けたところにある。いずれも、梱包製品を衝撃から保護する対策を講じたものである。
【００４０】
各部分の符号を説明する。図２１に示した形態に組立てられるこの実施例の緩衝体３０１Ｃは、図２２に示した主緩衝部材１０１Ｃの挿嵌穴に、図２３に示した副緩衝部材２０１Ｃの挿嵌片を上から挿嵌した連結、合体品である。ここで、主緩衝部材１０１Ｃは１枚の段ボール１００Ｃから、図２２に示した様に、横断面が略Ｌ字状に折り上げられる。また、副緩衝部材２０１Ｃは１枚の段ボール２００Ｃから、図２３に示した様に、略コの字状に折り上げられる。図２２の主緩衝部材１０１Ｃは、それぞれ二条の係止穴Ｌ１、係止穴Ｌ２、係止穴Ｌ３を備え、他に、側面１３Ｃ、１４Ｃ、頂面５１〜５５Ｃ等からなる。側面１３Ｃには、中央部に二箇所の切れ目８１を設けていることが第一実施例とは相違する。さらに、図２２および図２４に示すように、折畳みＷを設けることが第一実施例とは異なる。図２３の副緩衝部材２０１Ｃは、それぞれ両側に側面２１Ｃ、係止片２２Ｃ、係止穴２３Ｃ、係止片２４Ｃ、係止穴２５Ｃ、係止片２６Ｃ、係止穴２７Ｃ、側面３１Ｃ、３２Ｃ、３３Ｃを備え、他に、刳抜穴６１Ｃ等からなる。さらに、図２３および図２５に示すように、舌片Ｙ１〜Ｙ４を備え、これらに係合する係止穴Ｌ４およびＬ５を設けることが第一実施例とは相違する。
【００４１】
次に、段ボール１００Ｃから、主緩衝部材３０１Ｃを組立てる手順については、第一実施例と同様である。ただし、平行折り目Ｓ２からＳ３を折る時、頂面１５Ｃの中央部に２箇所の折畳みＷを形成する。図３１は、主緩衝部材の頂面に形成した折畳みＷを折り畳む途中で、内側から見た斜視図である。また、図３２は、主緩衝部材の頂面に形成した折畳みＷを折り畳み完了の斜視図である。先ず、予め付けられた折り目Ｓ３を折ると同時に、図３１に示すように、折り目Ｓ３１とＳ３２に沿って、折畳み片のＷ１およびＷ２を内側にくの字状に折り込むことにより、図３２の折畳みＷが形成される。また、段ボール２００Ｃから、副緩衝部材２０１Ｃを組立てる手順については、第一実施例と同様である。ただし、舌片Ｙ１およびＹ３を備え、これらの先端部に設けた舌片Ｙ２およびＹ４をそれぞれ係止穴Ｌ４およびＬ５に挿嵌させる。同様に、舌片Ｙ５の先端部に設けた舌片Ｙ６を係止穴Ｌ６に挿嵌させる。
【００４２】
主緩衝部材へ副緩衝部材の結合方法は、主緩衝部材１０１Ｃの二条の係止穴に、それぞれ副緩衝部材２０１Ｃの係止片を主緩衝部材の上方から挿嵌させる。以下第一実施例と同じ要領で、断面が略Ｌ字状の緩衝体３０１Ｃが連結、合体される。
【００４３】
図２８は、外装箱の展開図で、上段から、蓋面４１Ｃ、側面４２Ｃ、底面４３Ｃで外装箱の六面を構成する。また、蓋面は、係止面７１Ｃ、係止面７２Ｃ、係止面７３Ｃを備え、他に係止面７４Ｃ等からなる。係止面７４Ｃの中央部には二箇所の切れ目８２を設けている。
【００４４】
図２９は、左右１対の緩衝体３０１Ｃおよび３０１Ｃ‘を外装箱４０１Ｃの中に組込んだ状態を示す。左右両側に段差状棚部Ｚが形成され、梱包物品の端部を挿入させ、梱包する。図３０は、左右１対の緩衝体３０１Ｃおよび３０１Ｃ‘を外装箱４０１Ｃに組込み、蓋を閉じる途中で、緩衝体に外装箱の係止面を挿嵌した状態を示す。左右の係止面を緩衝体３０１Ｃおよび３０１Ｃ‘に挿嵌する。詳しくは、図２８に示すように、予め折り目を付けられた平行折り目Ｕ１、Ｕ２およびＵ３に沿って、係止面７１Ｃ、７２Ｃ、７４Ｃおよび係止面７３Ｃを折り曲げる。係止面７３Ｃを上面とする角筒が形成される。ここで、係止面７２Ｃを底辺とし、係止面７１Ｃおよび７４Ｃを側面とする角筒が、緩衝体３０１Ｃの係止穴２３Ｃに挿嵌されることにより、上蓋の二面が閉じられる。
【００４５】
この様にして組立てられた緩衝体は、折畳み、舌片による挿嵌および切れ目を設けたことを除き、第一実施例と共通した機能を持つので、同様な作用効果をもつ。ここでは、第一実施例と相違する折畳み、舌片による挿嵌および切れ目についての作用効果を説明する。図２９に示すように、外装箱４０１Ｃの中には、左右両側の緩衝体３０１Ｃと３０１Ｃ‘に段差状棚部Ｚが形成され、この棚部に梱包物品の端部を載せ、挿入させる。緩衝体３０１Ｃの頂面は分割され、中央部で、側面１４Ｃの裏側に位置する部位に、二箇所の折畳みＷを備えている。左右方向で梱包物品を衝撃から保護する対策を講じたものである。側面１４Ｃを含む角筒は折畳みＷによってバックアップされるので、左右方向からの衝撃を和らげる効果がある。一方、緩衝体３０１Ｃの段差状棚部Ｚは、緩衝体３０１Ｃの前後の側面２１Ｃで挟まれた空間を形成している。梱包物品はこの空間に挿入されるので、側面２１Ｃは前後方向で梱包物品を衝撃から保護する対策を講じたものである。前後両端部で、側面２１Ｃの外側は舌片Ｙ１、Ｙ３およびＹ５を備えており、側面２１Ｃはこれらによってバックアップされるので、側面２１Ｃに更に舌片の効果が加わり、前後方向からの衝撃を和らげる効果がある。また、外装箱を段積みする際の天地方向の緩衝作用について説明する。図２８および図３０に示す様に、係止面７１Ｃ、７２Ｃ、７３Ｃおよび７４Ｃによって形成された角筒が、緩衝体３０１Ｃの係止穴２３Ｃに挿嵌される。このため、図２９および図３０に示す様に、係止面７１Ｃ、７４Ｃを両脚とし、７２Ｃを底辺とする角筒は、舌片Ｙ１に当接する。ここで、Ｙ１、Ｙ３およびＹ５は前後方向の衝撃を和らげる効果がある。また、頂面５１Ｃ〜５５Ｃで係止面７３Ｃを支える構成になっている。段済みする際の上からの重量を、上蓋片で支承することができる。即ち、倉庫に段ボール箱を高く段積みした状態で、積圧強度を向上させる。更に、梱包物品が重い場合あるいは外装箱を段積みする際の天地方向の緩衝作用について説明する。図２１に示すように、側面１３Ｃの中央部に二箇所の切れ目８１を設けている。支承台１８Ｃに設定レベル以上の衝撃力を受けると、二箇所の切れ目８１を設けた側面１３Ｃが挫屈するようにしたものである。梱包物品が重すぎる場合は、側面１３Ｃの方が潰され変形するので、梱包物品を損傷から守る。また、図３０に示すように、係止面７４Ｃの中央部に二箇所の切れ目８２を設けている。係止面７３Ｃに設定レベル以上の衝撃力を受けると、二箇所の切れ目８２を設けた側面７４Ｃが挫屈するようにしたものである。外装箱を段積みする際の天地方向の緩衝を和らげる作用をし、係止面７４Ｃの方が潰されて変形しても梱包物品の損傷から守るものである。
【００４６】
以上、第三実施例のものは、第一実施例の効果に加えて、折畳み、舌片および切れ目の効果を有する。即ち、天地、左右および前後方向からの衝撃を和らげて、梱包製品を衝撃から保護する。
【００４７】
次に、本発明の第四実施例を、図３３〜図３７を参照しながら説明する。図３３は、左右１組の一方の緩衝体３０１Ｄの斜視図である。図３４は、左右１組の緩衝体を外装箱４０１Ｄの中に組み込んだ状態を示す。図３５は、左右１組の緩衝体を外装箱４０１Ｄの中に組込み、緩衝体に外装箱に設けた係止面を挿嵌した状態を示す。図３６は、左右１組の緩衝体を外装箱４０１Ｄの中に組立て、梱包製品を挿嵌した状態を示す。図３７は、外装箱４０１Ｄの中に梱包製品５００を挿嵌したあと、外装箱の蓋面を一部閉じた状態を示す。
【００４８】
第四実施例の各図面に符号を付して示した各部分のうち、第一、二および三実施例の各図面と共通する符号を付した部分は、互いに共通した機能を持つ部分である。
【００４９】
第一実施例との主たる相違点は、図３３に示すように、緩衝体３０１Ｄの支承台１８Ｄの側面の一部を山形状に折り上げたところにある。支承台１８Ｄには、梱包物品の自重を含む、段済み上方からの重量とか衝撃を支承する。その際、突起Ｖ１はスプリング効果の役目をするので、天地方向からの衝撃を和らげる効果がある。
【００５０】
また、同じく相違点は、頂面１５Ｄの高さを低くしたところにある。倉庫に段ボール箱を高く段積みした状態では、頂面１５Ｄの高さおよび副緩衝体２０１Ｄの側面３１Ｄ〜３３Ｄ等が重なって、段積みの荷重を支承する。段積みの荷重の大きさによって、頂面１５Ｄの高さを自由に選択できる。一方、高さを低くすることにより、左右方向からの衝撃を和らげる効果がある。左右方向の補強手段の一つとして、本第四実施例のように、頂面１５Ｄの高さを低くする等の対応をすることができる。
【００５１】
また、同じく相違点は、図３３および図３４に示すように、主緩衝部材１０１Ｃの頂面の一部に折畳みを設けたところにある。緩衝体３０１Ｄの頂面は分割され、中央部で、側面１４Ｄの裏側に位置する部位に、二箇所の折畳みＷを備えている。左右方向で梱包物品を衝撃から保護する対策を講じたものである。側面１４Ｄを含む角筒は折畳みＷによってバックアップされるので、左右方向からの衝撃を和らげる効果がある。折畳みも左右方向の補強手段の一つである。
【００５２】
他の相違点として、図３５および図３７に示すように、外装箱４０１Ｄに設けた係止面を角筒状に折り上げ、緩衝体３０１Ｄに挿嵌させたことである。外装箱を段積みする際の天地方向の緩衝作用について説明する。図３４および図３５に示す様に、係止面７１Ｄ、７２Ｄ、７３Ｄおよび７４Ｄによって形成された角筒が、緩衝体３０１Ｄの係止穴２３Ｄに挿嵌される。このため、この図３４および図３５に示す様に、係止面７１Ｄ、７４Ｄを両脚とし、７２Ｄを底辺とする角筒は、２８Ｄに当接するので、天地方向からの衝撃を和らげる効果がある。また、頂面５１Ｄ〜５５Ｄで係止面７３Ｄを支える構成になっている。段済みする際の上からの重量を、上蓋片で支承することができる。即ち、倉庫に段ボール箱を高く段積みした状態で、積圧強度を向上させる。
【００５３】
以上、各実施例では、一対の緩衝体と外装箱との連結組立により、梱包物品の形状や重量、また、段ボール箱の段積み数等に応じて、望みどおりの緩衝体を選択することができる。主緩衝体の頂面の高さは、副緩衝体の側面の高さと同じ高さにしてもよく、低くてもよい。同様に、折畳みＷも高くてもよく、低くてもよい。また、主緩衝体の支承台の中央部および両端のＶ字状の突起、折畳みＷ、舌片Ｙあるいは主緩衝体の支承台の中央部の切れ目等は主緩衝体に単独で構成されてもよく、これらの組み合わせで構成されてもよい。また、外装箱の係止面の側面部は平でもよく、Ｖ字状の突起を設けてもよく、また、切れ目を設けてもよい。
【００５４】
各実施例では、一対の緩衝体と外装箱とを連結組立する場合について説明した。そのために、一対の緩衝体と外装箱とを連結するために、外装箱の蓋面の一部を、緩衝体に挿嵌、係止する関係が重要であった。しかし、必ずしも、緩衝体と外装箱とを挿嵌、係止して使用する必要はない。外装箱に係止する部位が無くても、緩衝体として機能させることにかわりはない。これらの一対の緩衝体を外装箱に組込み、これらの緩衝体によって形成される段差状棚部にＤＶＤ等を詰め込み、挿入して使用することは十分可能である。
【００５５】
【発明の効果】
本発明の連結組立式の緩衝体は、複雑な形状にも拘らず、一対の緩衝体と外装箱との連結組立により、梱包物品の形状や重量、また、段ボール箱の段積み数等や前後左右方向からの衝撃の強さに応じて、望みどおりの緩衝体を選択することができる。
【００５６】
また、主緩衝体と副緩衝体とは、係止片と係止穴とが確実に挿嵌し合っているので、形崩れすることが無い。
【００５７】
主緩衝体と外装箱はＶ字状の突起を備えているので、梱包物品の重量や、外装箱を段積みする際の天地方向の緩衝作用を和らげる効果がある。
【００５８】
さらに、Ｖ字状の突起、折畳みＷおよび舌片Ｙは梱包物品を前後あるいは左右の方向の緩衝作用を和らげる効果がある。前後、左右方向の補強手段として、突起、折畳みＷおよび舌片Ｙやこれらの数を自由に選択できる。
【００５９】
主緩衝体の頂面１５の高さは、段ボール箱を高く段積みした状態での天地方向の積圧強度を向上させることができる。
【００６０】
以上、一対の緩衝体と外装箱との連結組合わせにより、緩衝体の積圧強度を自由に選択することができる。その結果、倉庫に段ボール箱を高く段積みした状態で、長期間安全に製品を保管することができる。
【図面の簡単な説明】
【図１】本発明の第１実施例を示すもので、左右１組の緩衝体３０１Ａの一方の斜視図である。
【図２】同上、左右１組の主緩衝部材１０１Ａの一方の斜視図である。
【図３】同上、左右１組の副緩衝部材２０１Ａの一方の斜視図である。
【図４】同上、左右１組の一方の主緩衝部材の展開図で、段ボール１００Ａである。
【図５】同上、左右１組の一方の副緩衝部材の展開図で、段ボール２００Ａである。
【図６】同上、左右１組の一方の主緩衝部材の展開図で、段ボール１００Ａ‘である。
【図７】同上、左右１組の一方の副緩衝部材の展開図で、段ボール２００Ａ‘である。
【図８】同上、外装箱の展開図で、段ボール４００Ａである。
【図９】同上、左右１組の緩衝体３０１Ａおよび３０１Ａ‘を外装箱４０１Ａに組立てる途中の斜視図である。
【図１０】同上、左右１組の緩衝体３０１Ａおよび３０１Ａ‘を外装箱４０１Ａに組込む途中であり、緩衝体に外装箱に設けた係止面を挿嵌した状態の斜視図である。
【図１１】本発明の第１実施例を示すもので、左右１組の緩衝体３０１Ｂの一方の斜視図である。
【図１２】同上、左右１組の主緩衝部材１０１Ｂの一方の斜視図である。
【図１３】同上、左右１組の副緩衝部材２０１Ｂの一方の斜視図である。
【図１４】同上、左右１組の一方の主緩衝部材の展開図で、段ボール１００Ｂである。
【図１５】同上、左右１組の一方の副緩衝部材の展開図で、段ボール２００Ｂである。
【図１６】同上、左右１組の一方の主緩衝部材の展開図で、段ボール１００Ｂ‘である。
【図１７】同上、左右１組の一方の副緩衝部材の展開図で、段ボール２００Ｂ‘である。
【図１８】同上、外装箱の展開図で、段ボール４００Ｂである。
【図１９】同上、左右１組の緩衝体３０１Ｂおよび３０１Ｂ‘を外装箱４０１Ｂに組立てる途中の斜視図である。
【図２０】同上、左右１組の緩衝体３０１Ｂおよび３０１Ｂ‘を外装箱４０１Ｂに組込む途中であり、緩衝体に外装箱に設けた係止面を挿嵌した状態の斜視図である。
【図２１】本発明の第１実施例を示すもので、左右１組の緩衝体３０１Ｃの一方の斜視図である。
【図２２】同上、左右１組の主緩衝部材１０１Ｃの一方の斜視図である。
【図２３】同上、左右１組の副緩衝部材２０１Ｃの一方の斜視図である。
【図２４】同上、左右１組の一方の主緩衝部材の展開図で、段ボール１００Ｃである。
【図２５】同上、左右１組の一方の副緩衝部材の展開図で、段ボール２００Ｃである。
【図２６】同上、左右１組の一方の主緩衝部材の展開図で、段ボール１００Ｃ‘である。
【図２７】同上、左右１組の一方の副緩衝部材の展開図で、段ボール２００Ｃ‘である。
【図２８】同上、外装箱の展開図で、段ボール４００Ｃである。
【図２９】同上、左右１組の緩衝体３０１Ｃおよび３０１Ｃ‘を外装箱４０１Ｃに組立てる途中の斜視図である。
【図３０】同上、左右１組の緩衝体３０１Ｃおよび３０１Ｃ‘を外装箱４０１Ｃに組込む途中であり、緩衝体に外装箱に設けた係止面を挿嵌した状態の斜視図である。
【図３１】同上、主緩衝部材の頂面に形成した折畳みＷを折り畳む途中で、内側から見た斜視図である。
【図３２】同上、主緩衝部材の頂面に形成した折畳みＷを折り畳み完了した斜視図である。
【図３３】本発明の第４実施例を示すもので、左右１組の緩衝体３０１Ｄの一方の斜視図である。
【図３４】同上、左右１組の緩衝体３０１Ｄおよび３０１Ｄ‘を外装箱４０１Ｄに組立てる途中の斜視図である。
【図３５】同上、左右１組の緩衝体３０１Ｄおよび３０１Ｄ‘を外装箱４０１Ｄに組込む途中であり、緩衝体に外装箱に設けた係止面を挿嵌した状態の斜視図である。
【図３６】同上、製品を梱包し、上蓋面を閉じる前の状態を示す斜視図である。
【図３７】同上、製品を梱包し、上蓋の一部を閉じた状態を示す斜視図である。
【符号の説明】
１００Ａ〜１００Ｄ（１００）  主緩衝部材の段ボール
１０１Ａ〜１０１Ｄ（１０１）  主緩衝部材
２００Ａ〜２００Ｄ（２００）  副緩衝部材の段ボール
２０１Ａ〜２０１Ｄ（２０１）  副緩衝部材
３０１Ａ〜３０１Ｄ（３０１）  緩衝体
４００Ａ〜４００Ｄ（４００）  外装箱の段ボール
４０１Ａ〜４０１Ｄ（４０１）  外装箱
５００  梱包製品
１３Ａ〜１３Ｄ  側面
１４Ａ〜１４Ｄ  側面
１５Ａ〜１５Ｄ  頂面
１６Ａ〜１６Ｄ  係止角
１７Ａ〜１７Ｄ  係止角
１８Ａ〜１８Ｄ  支承台
１９Ａ〜１９Ｄ  側面
２１Ａ〜２１Ｄ  側面
２２Ａ〜２２Ｄ  係止片
２３Ａ〜２３Ｄ  係止穴
２４Ａ〜２４Ｄ  係止片
２５Ａ〜２５Ｄ  係止穴
２６Ａ〜２６Ｄ  係止片
２７Ａ〜２７Ｄ  係止穴
２８Ａ、２８Ｂ、２８Ｄ  底辺
３１Ａ〜３１Ｄ  側面
３２Ａ〜３２Ｄ  側面
３３Ａ〜３３Ｄ  側面
４１Ａ〜４１Ｄ  蓋面
４２Ａ〜４２Ｄ  側面
４３Ａ〜４３Ｄ  底面
５１Ｃ、５１Ｄ  分割頂面
５２Ｃ、５２Ｄ  分割頂面
５３Ｃ、５３Ｄ  分割頂面
５４Ｃ、５４Ｄ  分割頂面
５５Ｃ、５５Ｄ  分割頂面
６１Ａ  コード穴
６２Ａ  刳抜穴
７１Ａ〜７１Ｄ  係止面
７２Ａ〜７２Ｄ  係止面
７３Ａ〜７３Ｄ  係止面
７４Ａ〜７４Ｄ  係止面
８１  切れ目
８２  切れ目
９１Ｂ、９１Ｄ  山形片
９２Ｂ、９２Ｄ  山形片
９３Ｂ、９３Ｄ  山形片
９４Ｂ、９４Ｄ  山形片
９５Ｂ、９５Ｄ  山形片
９６Ｂ、９６Ｄ  山形片
Ｌ１〜Ｌ６  係止穴
Ｐ１〜Ｐ６  山形折り目
Ｒ１〜Ｒ３  山形折り目
Ｓ１〜Ｓ８  平行折り目
Ｔ１〜Ｔ６  平行折り目
Ｕ１〜Ｕ３  平行折り目
Ｖ１〜Ｖ３  突起
Ｗ  折畳み
Ｗ１、Ｗ２  折畳み片
Ｚ  段差状棚部
Ｙ１〜Ｙ６  舌片
【図１】
2004299756.tif 000003
【図２】
2004299756.tif 000004
【図３】
2004299756.tif 000005
【図４】
2004299756.tif 000006
【図５】
2004299756.tif 000007
【図６】
2004299756.tif 000008
【図７】
2004299756.tif 000009
【図８】
2004299756.tif 000010
【図９】
2004299756.tif 000011
【図１０】
2004299756.tif 000012
【図１１】
2004299756.tif 000013
【図１２】
2004299756.tif 000014
【図１３】
2004299756.tif 000015
【図１４】
2004299756.tif 000016
【図１５】
2004299756.tif 000017
【図１６】
2004299756.tif 000018
【図１７】
2004299756.tif 000019
【図１８】
2004299756.tif 000020
【図１９】
2004299756.tif 000021
【図２０】
2004299756.tif 000022
【図２１】
2004299756.tif 000023
【図２２】
2004299756.tif 000024
【図２３】
2004299756.tif 000025
【図２４】
2004299756.tif 000026
【図２５】
2004299756.tif 000027
【図２６】
2004299756.tif 000028
【図２７】
2004299756.tif 000029
【図２８】
2004299756.tif 000030
【図２９】
2004299756.tif 000031
【図３０】
2004299756.tif 000032
【図３１】
2004299756.tif 000033
【図３２】
2004299756.tif 000034
【図３３】
2004299756.tif 000035
【図３４】
2004299756.tif 000036
【図３５】
2004299756.tif 000037
【図３６】
2004299756.tif 000038
【図３７】
2004299756.tif 000039